(57)【要約】【課題】装置フレーム内の密閉性の低下を抑制する。【解決手段】外装カバー１６と、外装カバー１６に内に配置された装置フレーム１５と、装置フレーム１５内を移動するフルレートキャリッジ４とを有する画像読取装置のキャリッジの固定機構であって、フルレートキャリッジ４を一時的に固定する固定用鉤部材２１を備え、固定用鉤部材２１が外装カバー１６の壁面と装置フレーム１５の側壁１５ａとを貫通し、フルレートキャリッジ４の壁面を貫通又は接触している場合は、フルレートキャリッジ４は装置フレーム１５内に固定されており、固定用鉤部材２１が固定用鉤部材２１の壁面の貫通又は接触を解除されている場合には、固定用鉤部材２１は装置フレーム１５内を移動可能であり、固定用鉤部材２１は、少なくとも外装カバー１６を貫通した状態にある。【選択図】図２
2006270938.tif 000002
【特許請求の範囲】
【請求項１】
筐体と、前記筐体内に配置された装置フレームと、前記装置フレーム内を移動する移動ユニットとを有する情報処理装置の移動ユニットの固定機構であって、
前記移動ユニットを一時的に固定する固定ピンを備え、
前記固定ピンが前記筐体の壁面と前記装置フレームの壁面とを貫通し、前記移動ユニットの壁面を貫通又は接触している場合は、前記移動ユニットは前記装置フレーム内に固定されており、
前記固定ピンが前記移動ユニットの壁面の貫通又は接触を解除されている場合には、前記移動ユニットは前記装置フレーム内を移動可能であり、前記固定ピンは、少なくとも前記筐体を貫通した状態にある、情報処理装置の移動ユニットの固定機構。
【請求項２】
前記移動ユニットが前記固定ピンにより固定されている場合、
前記固定ピンは、前記移動ユニットの固定位置において、所定の角度回転したときに、その軸方向に対して移動可能な状態となる、請求項１に記載の情報処理装置の移動ユニットの固定機構。
【請求項３】
前記固定ピンはその表面に突起を有し、
前記固定ピンは、所定の回転角以外の角度にあるときに、前記突起が前記装置フレーム及び／又は前記移動ユニットの内壁と接触することにより、その軸方向に対して固定された状態となる、請求項２に記載の情報処理装置の移動ユニットの固定機構。
【請求項４】
前記筐体に設けられ、前記筐体から外側へ向かう附勢力を前記固定ピンに与える弾性部材を備え、
前記弾性部材の前記附勢力により、前記所定の角度において、前記固定ピンと前記移動ユニットの壁面の貫通又は接触が解除される、請求項２に記載の情報処理装置の移動ユニットの固定機構。
【請求項５】
前記固定ピンは、前記筐体及び前記装置フレームに設けられた前記固定ピンが貫通する貫通孔の全部又は一部を、前記軸方向上の所定位置にて封止する封止面を有し、
前記所定位置は、前記移動ユニットが移動可能な状態にあるときの位置である、請求項１に記載の情報処理装置の移動ユニットの固定機構。
【請求項６】
前記装置フレームは、前記固定ピンが貫通する貫通孔の周囲に設けられ、前記移動ユニットとが移動可能となる前記所定の角度にて、前記固定ピンの回転を停止するよう規制する回転規制部材を備えた、請求項２に記載の情報処理装置の移動ユニットの固定機構。
【請求項７】
前記固定ピン及び回転規制部材は樹脂製である、請求項６に記載の情報処理装置の移動ユニットの固定機構。
【請求項８】
前記回転規制部材は、前記固定ピンの前記突起に対応して設けられ、前記突起と接触するように設けられた少なくとも一つの係止部を備え、
前記固定ピンは、前記突起が前記係止部と接する位置にて、軸方向に対して移動可能となる、請求項６に記載の情報処理装置の移動ユニットの固定機構。
【請求項９】
前記装置フレーム内を移動する第２の移動ユニットを更に備え、
前記第２の移動ユニットは、前記移動ユニットの固定時において、前記装置フレームと前記移動ユニットとの間に挟まれることにより間接的に固定される、請求項１に記載の情報処理装置の移動ユニットの固定機構。
【請求項１０】
前記情報処理装置は画像読取装置であって、
前記移動ユニットはキャリッジである、請求項１から９のいずれかに記載の情報処理装置の移動ユニットの固定機構。
【請求項１１】
筐体と、
前記筐体内に配置された装置フレームと、
前記装置フレーム内を移動する移動ユニットと、
請求項１から１０のいずれかに記載の情報処理装置の移動ユニットの固定機構とを備えた情報処理装置。
【請求項１２】
原稿をセットするプラテンの下面に沿って移動するキャリッジと、筐体内部に配置され前記キャリッジの移動をガイドする案内部材を有する装置フレームと、外装カバーとを設けてなる画像読取装置において、前記キャリッジと前記装置フレームと前記外装カバーのそれぞれ対向する位置に孔を設け、装置外から前記外装カバーと前記装置フレームと前記キャリッジの孔に固定用鉤部材を挿入し、前記装置フレームと前記キャリッジに前記固定用鉤部材に設けた鉤部を引っ掛けることにより、前記キャリッジを固定し得るようにし、前記固定用鉤部材は、前記キャリッジの固定解除後も前記外装カバーに装着されている、画像読取装置。
【請求項１３】
前記キャリッジと連動移動する第２の読取り用キャリッジを有し、前記キャリッジが固定されることにより、第２のキャリッジは前記キャリッジと前記装置フレームの側壁との間に位置して間接的に固定される、請求項１２に記載の画像読取装置。
【発明の詳細な説明】
【技術分野】
【０００１】
本発明は、フラットベッド型のスキャナーのような画像読取装置等の情報処理装置において、装置を搬送する際等に、ミラーや光源等を装備したキャリッジのような移動ユニットを装置フレームに固定する、情報処理装置の移動ユニットの固定機構、情報処理装置等に関する。
【背景技術】
【０００２】
フラットベッドスキャナーにおいては、プラテン上にセットした原稿の画像を読み取るために、プラテンの下面に沿って往復移動する読取り部材として、ランプとミラーとを組み合わせたフルレートキャリッジと、前記フルレートキャリッジに連動して移動されるハーフレートキャリッジとを組み合わせて設けている。そして、原稿の画像面に当てた光を複数のミラーに反射させて、レンズを通してＣＣＤに結像し、ＣＣＤから電気信号として画像情報を接続する画像形成装置に向けて出力するようにしている。例えば、前記スキャナーを接続する装置がファクシミリ装置の場合には、その画像情報を電話回線を通じて送信するものであり、複写機等においては、スキャナーから出力される信号にもとづいて記録紙を作成する。
【０００３】
前記スキャナーにおいては、プラテンの下面に沿って往復移動するキャリッジは、ミラー間の距離と、ミラーとレンズの間の距離を正確に調整することが必要である。そこで、画像読取装置を工場から出荷する場合には、輸送時の衝撃が加えられたりして、キャリッジやその周辺部に配置する構成部材が破損したり、位置関係が狂うことを防止するために、キャリッジを装置フレームに固定することが行われている。
【０００４】
例えば、特許文献１には、図１２に示すように、画像読取装置に配置する２つのキャリッジ１０４、１０６に、各々フランジ１２５、１３０を突出させて設け、装置フレーム１２０の側板１２１に設けた孔１２１ａから固定用ネジ１３５を装着して、各フランジ１２５、１３０に設けた孔１３１とネジ孔１２６を介して相互に位置決めして固定することが提案されている。固定用ネジ１３５は頭部１３６と大径部１３７および先端部のネジ部１３９を設けており、固定用ネジ１３５を複数の部材を貫通する孔に挿入して固定できるようにしたものである。
【特許文献１】特開平１１−１６４０６３号公報
【発明の開示】
【発明が解決しようとする課題】
【０００５】
しかしながら、上記の方法では、キャリッジ１０４、１０６の固定解除時は、固定用ネジ１３５を外してしまうため、装置フレーム１２０の孔１２１ａが開口として残り、装置フレーム１２０内の密閉性を低下させ、装置フレーム１２０の孔１２１ａから埃等が侵入し、読取り精度に悪影響が出るおそれがあった。
【０００６】
本発明は、上記従来の問題点に鑑みてなされたものであり、装置フレーム内の密閉性の低下を抑制することのできる画像読取装置を提供することを目的とする。
【課題を解決するための手段】
【０００７】
上記の目的を達成するために、第１の本発明は、筐体と、前記筐体内に配置された装置フレームと、前記装置フレーム内を移動する移動ユニットとを有する情報処理装置の移動ユニットの固定機構であって、
前記移動ユニットを一時的に固定する固定ピンを備え、
前記固定ピンが前記筐体の壁面と前記装置フレームの壁面とを貫通し、前記移動ユニットの壁面を貫通又は接触している場合は、前記移動ユニットは前記装置フレーム内に固定されており、
前記固定ピンが前記移動ユニットの壁面の貫通又は接触を解除されている場合には、前記移動ユニットは前記装置フレーム内を移動可能であり、前記固定ピンは、少なくとも前記筐体を貫通した状態にある、情報処理装置の移動ユニットの固定機構である。
【０００８】
また、第２の本発明は、前記移動ユニットが前記固定ピンにより固定されている場合、
前記固定ピンは、前記移動ユニットの固定位置において、所定の角度回転したときに、その軸方向に対して移動可能な状態となる、第１の本発明の情報処理装置の移動ユニットの固定機構である。
【０００９】
また、第３の本発明は、前記固定ピンはその表面に突起を有し、
前記固定ピンは、所定の回転角以外の角度にあるときに、前記突起が前記装置フレーム及び／又は前記移動ユニットの内壁と接触することにより、その軸方向に対して固定された状態となる、第２の本発明の情報処理装置の移動ユニットの固定機構である。
【００１０】
また、第４の本発明は、前記筐体に設けられ、前記筐体から外側へ向かう附勢力を前記固定ピンに与える弾性部材を備え、
前記弾性部材の前記附勢力により、前記所定の角度において、前記固定ピンと前記移動ユニットの壁面の貫通又は接触が解除される、第２の本発明の情報処理装置の移動ユニットの固定機構である。
【００１１】
また、第５の本発明は、前記固定ピンは、前記筐体及び前記装置フレームに設けられた前記固定ピンが貫通する貫通孔の全部又は一部を、前記軸方向上の所定位置にて封止する封止面を有し、
前記所定位置は、前記移動ユニットが移動可能な状態にあるときの位置である、第１の本発明の情報処理装置の移動ユニットの固定機構である。
【００１２】
また、第６の本発明は、前記装置フレームは、前記固定ピンが貫通する貫通孔の周囲に設けられ、前記移動ユニットが移動可能となる前記所定の角度にて、前記固定ピンの回転を停止するよう規制する回転規制部材を備えた、第２の本発明の情報処理装置の移動ユニットの固定機構である。
【００１３】
また、第７の本発明は、前記固定ピン及び回転規制部材は樹脂製である、第６の本発明の情報処理装置の移動ユニットの固定機構である。
【００１４】
また、第８の本発明は、前記回転規制部材は、前記固定ピンの前記突起に対応して設けられ、前記突起と接触するように設けられた少なくとも一つの係止部を備え、
前記固定ピンは、前記突起が前記係止部と接する位置にて、軸方向に対して移動可能となる、第６の本発明の情報処理装置の移動ユニットの固定機構である。
【００１５】
また、第９の本発明は、前記装置フレーム内を移動する第２の移動ユニットを更に備え、
前記第２の移動ユニットは、前記移動ユニットの固定時において、前記装置フレームと前記移動ユニットとの間に挟まれることにより間接的に固定される、第１の本発明の情報処理装置の移動ユニットの固定機構である。
【００１６】
また、第１０の本発明は、前記情報処理装置は画像読取装置であって、
前記移動ユニットはキャリッジである、第１から第９のいずれかの本発明の情報処理装置の移動ユニットの固定機構である。  
【００１７】
また、第１１の本発明は、筐体と、
前記筐体内に配置された装置フレームと、
前記装置フレーム内を移動する移動ユニットと、
第１から第１０のいずれかの本発明の情報処理装置の移動ユニットの固定機構とを備えた情報処理装置である。  
【００１８】
また、第１２の本発明は、原稿をセットするプラテンの下面に沿って移動するキャリッジと、筐体内部に配置され前記キャリッジの移動をガイドする案内部材を有する装置フレームと、外装カバーとを設けてなる画像読取装置において、前記キャリッジと前記装置フレームと前記外装カバーのそれぞれ対向する位置に孔を設け、装置外から前記外装カバーと前記装置フレームと前記キャリッジの孔に固定用鉤部材を挿入し、前記装置フレームと前記キャリッジに前記固定用鉤部材に設けた鉤部を引っ掛けることにより、前記キャリッジを固定し得るようにし、前記固定用鉤部材は、前記キャリッジの固定解除後も前記外装カバーに装着されている、画像読取装置である。  
【００１９】
また、第１３の本発明は、前記キャリッジと連動移動する第２の読取り用キャリッジを有し、前記キャリッジが固定されることにより、第２のキャリッジは前記キャリッジと前記装置フレームの側壁との間に位置して間接的に固定される、第１２の本発明の画像読取装置。
【００２０】
以上のような本発明においては、例えば、固定用鉤部材は、キャリッジの固定解除後も外装カバーから外れることなく装着されているので、装置フレーム内部の密閉性の低下が抑制され、装置フレームの孔から埃等の侵入を防止することができる。また、固定用鉤部材は、次に装置を搬送したり移動させようとする場合にも再び使用できるものであるから、廃棄物として捨てることはなく、外装カバーに装着したままにしておくことで、紛失のおそれや保管場所に困ることもないので、リサイクル性が向上する。また、固定用鉤部材は、樹脂で一体成形することが可能であるので、材料の分別作業が不要であり、リサイクル性に優れている。
【発明の効果】
【００２１】
本発明によると、装置フレーム内の密閉性の低下を抑制することが可能となる。
【発明を実施するための最良の形態】
【００２２】
以下、本発明を実施するための最良の形態について図面を参照して説明する。
【００２３】
（実施の形態１）
図示される例にしたがって、本発明の実施の形態１による画像読取装置を説明する。図１に示す画像読取装置１は、ファクシミリ装置の原稿読取部や、複写機の読取部、パソコンに対するスキャナーとして用いることができる装置として構成され、画像読取装置１が接続される任意の装置に対して、ＣＣＤからデジタル信号としての画像情報を伝達させる。図１に示される画像読取装置１においては、装置フレーム１５の上部にはプラテン３を配置し、原稿の画像面を下側に向けてセットさせるようにする。前記プラテン３にセットした原稿に対しては、その上面に位置させるプラテンカバー９の弾性体９ａを押圧して、原稿の画像面をプラテン３に密着させて読取り可能にする。
【００２４】
前記プラテン３を上面に配置する装置フレーム１５の内部には、一般の画像読取装置と同様に、ランプ５とミラーｍ１を配置し、副走査キャリッジとしてのフルレートキャリッジ４と、２つのミラーｍ２、ｍ３を配置したハーフレートキャリッジ６とを移動可能に設けている。前記２つのキャリッジ４、６においては、１つの軸に設けたプーリ１０、１１に巻き掛けたワイヤ１２、１３を介して駆動されるもので、前記２つのプーリ１０、１１の直径を２：１に形成することにより、フルレートキャリッジ４の速度に対して、ハーフレートキャリッジ６の速度を半分に設定している。前記読取装置２においては、原稿の長さ方向に定速で移動するフルレートキャリッジ４と、前記フルレートキャリッジ４の半分の速度で移動されるハーフレートキャリッジ６とを連動させて往復移動させ、プラテン３上にセットした原稿の画像をランプにより照射する。そして、その反射光を２つのキャリッジに各々設けたミラーｍ１、ｍ２、ｍ３を介して反射させ、前記ミラーｍ３の反射光をレンズ７でＣＣＤ８に結像させ、光情報を電気信号に変換して、デジタル信号として接続した装置に向けて出力する。
【００２５】
前記２つのキャリッジ４、６を駆動するための駆動装置においては、ステッピングモータを使用して、前記同軸のプーリ１０、１１を駆動するものとして構成し、モータの回転数に対応するパルスをモータドライバからモータに印加する。そして、原稿の長さに対応する距離だけフルレートキャリッジ４を移動させるとともに、フルレートキャリッジ４の読取り速度を任意に設定できるようにし、前記フルレートキャリッジ４の半分の速度で半分の距離だけハーフレートキャリッジ６を移動させる。また、フルレートキャリッジ４が原稿の長さに対応する距離だけ移動した後では、読取り時に印加したパルス数だけ逆方向にモータを駆動して、２つのキャリッジ４、６を原位置に戻すようにする。
【００２６】
前記画像読取装置において、装置の搬送時にキャリッジを固定するために、図２及び図３に示すような固定手段を用いることができる。図２に示すように、フルレートキャリッジ４には、その移動方向に直交する方向の側部にフランジ１４を立設している。本実施形態において、２つのキャリッジ４、６は、筐体の内部に配置する案内レール等の案内部材を備えた装置フレーム１５に沿って移動されるものであるから、前記キャリッジ４に設けるフランジ１４は、前記案内レールに沿って移動する被案内部材の一部を固定用の部材として形成して用いることができる。前記ミラーｍ１を配置するフルレートキャリッジ４と、ミラーｍ２を配置するハーフレートキャリッジ６の２つのキャリッジは、画像読取りの動作の原点位置では、装置フレーム１５の一方の端部まで移動されると、図１に破線で示すように非常に接近される状態となる。
【００２７】
そこで、図２及び図３に示すように、２つのキャリッジ４、６が最も近接する位置で、フランジ１４と装置フレーム１５の側壁１５ａとを、直線状に貫通させる孔１７、１８をそれぞれ設け、さらに、外装カバー１６を内側に凹ませるようにして形成した円筒部１９の端面にも、直線状に貫通させる孔２０を設けて、１本の固定用鉤部材２１と圧縮バネ２２により固定することができるように構成している。
【００２８】
ここで、図３に示すように、フランジ１４と装置フレーム１５の側壁１５ａに設ける孔１７、１８は、小径の丸孔として設け、円筒部１９に設ける孔２０は大径の丸孔として設けている。なお、孔１７、１８の上下に対向する位置には、この孔１７、１８と繋がるように所定の幅及び長さで直線状に刳り貫いて設けた一対の刳貫き部１７ａ、１８ａをそれぞれ設けている。
【００２９】
なお、上記の構成において、画像読取装置１は本発明の情報処理装置及び画像読取装置に相当する。また外装カバー１６は本発明の筐体及び外装カバーに相当し、装置フレーム１５は本発明の装置フレームに相当し、またフランジ１４を備えたフルレートキャリッジ４は本発明の移動ユニット及びキャリッジに相当し、ハーフレートキャリッジ６は本発明の第２の移動ユニット及び第２の読取りキャリッジに相当する。また固定用鉤部材２１は本発明の固定ピン及び固定用鉤部材に相当する。
【００３０】
次に、図４は固定用鉤部材２１の斜視図であり、図５はその固定用鍵部材２１の平面図であり、図６は図５の矢視ｘ−ｘ線断面図（ａ）及び矢視ｙ−ｙ線断面図（ｂ）である。この固定用鉤部材２１は、樹脂で一体成形されている。したがって、材料の分別作業が不要であり、リサイクル性に優れている。
【００３１】
固定用鉤部材２１は、その長手方向の一端部に円盤状の鍔部２３を有し、該鍔部２３の一端面に板状の摘み部２４が一体形成されている。鍔部２３の他端面には、図６（ａ）に示すように断面十字形状をなすように直交し、その外縁が同一円周（図６（ａ）中に一点鎖線で示す。）をなす２つの柱２６、２７から構成される円形十字柱部２５が形成されている。この円形十字柱部２５の径（柱２６、２７の外縁がなす円の直径）は、外装カバー１６の円筒部１９の孔２０（図３参照）の径と略同径に設定されている。
【００３２】
円形十字柱部２５の他端には上記（柱２６、２７の外縁がなす）円の径と同径に選ばれた円盤部３０が形成されている。一方の柱２６には、その他端から所定の長さに渡って延びるスリット２８が貫通して設けられている。これにより、柱２６の外縁部に径方向の弾性を付与している。そして、この柱２６の外縁部であって、スリット２８の長さ方向の中央部に位置する部分にはテーパー状の斜面を有する略直角三角形の突起２９が形成されている。
【００３３】
円盤部３０の他端面には、図６（ｂ）に示すように断面十字形状をなすように直交し、その外縁が互いに同心円をなす２つの柱３２、３３から構成される非円形十字柱部３１が形成されている。一方の柱３２の径方向の長さは、他方の柱３３のそれよりも長く設定されており、この柱３２の長手方向の基端（根元）部と先端部にはくびれを有するように切り欠き３４、３５がそれぞれ設けられ、そのくびれ部分の外縁は他方の柱３３の外縁がなす円（図６（ｂ）中に一点鎖線で示す。）と同一円周をなしている。そして、この円の径は、フランジ１４の孔１７（図３参照）及び装置フレーム１５の側壁１５ａの孔１８（図３参照）の径と略同径に設定されている。また、柱３３の切り欠き３５のくびれ部分には、上記円の径と同径の円盤部３７が柱３２、３３と一体に形成され、この円盤部３７は固定用鉤部材２１を回転させた際にフランジ１４の孔１７内に位置して回転を受ける役割を果たしている。
【００３４】
そして、柱３３の長手方向の基端部には、円盤部３０の他端面から装置フレーム１５の側壁１５ａ（図３参照）の厚みに相当する距離を隔てた位置に突起３６が設けられ、この突起３６は固定用鉤部材２１を回転させた際に柱３３が回転するときの側壁１５ａに対する位置決めの役割を果たしている。なお、上記の構成において、柱３３は本発明の突起に相当する。
【００３５】
図５に示すように、切り欠き３４に臨む柱３２のエッジ部には、第一鉤部３２ａが形成され、切り欠き３５に臨む柱３２のエッジ部には、第二鉤部３２ｂが形成されている。
【００３６】
図６（ａ）、（ｂ）に示すように、円形十字柱部２５の柱２６と非円形十字柱部３１の柱３２とは、互いに長手方向で重なっており、円形十字柱部２５の柱２７と非円形十字柱部３１の柱３３とは、互いに長手方向で重なっている。そして、図５に示すように、摘み部２４は、円形十字柱部２５の柱２６及び非円形十字柱部３１の柱３２と長手方向で重なっている。したがって、摘み部２４を鉛直方向にして持つと、円形十字柱部２５の柱２６及び非円形十字柱部３１の柱３２とが鉛直方向に配向されるとともに、円形十字柱部２５の柱２７及び非円形十字柱部３１の柱３３とが水平方向に配向される（図７（ａ）参照）。一方、摘み部２４を水平方向にして持つと、円形十字柱部２５の柱２６及び非円形十字柱部３１の柱３２とが水平方向に配向されるとともに、円形十字柱部２５の柱２７及び非円形十字柱部３１の柱３３とが鉛直方向に配向される（図７（ｂ）参照）。
【００３７】
以上のように構成された固定用鉤部材２１は、図２に示すように、摘み部２４を鉛直方向にして持ち、圧縮バネ２２と共に外装カバー１６の円筒部１９の孔２０及び装置フレーム１５の側壁１５ａの孔１８に差し込むように装着される。
【００３８】
このとき、突起２９（図４参照）が円筒部１９の端壁１９ａ内面の孔２０のエッジ部に当接するが、突起２９はテーパー状になっているので、さらに固定用鉤部材２１を孔２０に差し込んでいくと、突起２９は孔２０のエッジ部に摺擦してその中心方向に弾性変形しながら移動し、円筒部１９の外側に出るときに弾性復帰することにより確実に装着することができる。また、摘み部２４を鉛直方向にして持っているので、非円形十字柱部３１の柱３２が鉛直方向に配向され、この非円形十字柱部３１の柱３２、３３の先端部は、柱３２が装置フレーム１５の側壁１５ａの孔１８の刳貫き部１８ａに嵌るようにして挿入される。
【００３９】
円筒部１９内に配置される圧縮バネ２２は、円筒部１９の端壁１９ａ内面と固定用鉤部材２１の鍔部２３（図４参照）の他端面との間に位置し、固定用鉤部材２１が抜かれる方向、すなわち外装カバー１５から外部へ向かう方向にこれを付勢しているが、円筒部１９の端壁１９ａの外面に前記突起２９が当接することにより抜け防止が図られている（図７（ｃ）参照）。なお、圧縮バネ２２は本発明の弾性部材に相当する。
【００４０】
このようにして装着された固定用鉤部材２１を用いる場合は、まず、フルレートキャリッジ４とハーフレートキャリッジ６とが最も接近する位置まで移動させてから、図７（ａ）に示すように、固定用鉤部材２１を、摘み部２４を鉛直方向にして持ち、円盤部３０の他端面が装置フレーム１５の側壁１５ａに当接するまで、矢印Ａのように差し込む。このとき、摘み部２４を鉛直方向にして持っているので、非円形十字柱部３１の柱３２が鉛直方向に配向され、この非円形十字柱部３１の柱３２、３３の長手方向の先端部は、柱３２がフランジ１４の孔１７の刳貫き部１７ａに嵌るようにして挿入される。
【００４１】
そうすると、非円形十字柱部３１は、柱３２の切り欠き３４によるくびれが装置フレーム１５の側壁１５ａの孔１８に位置し、柱３２の切り欠き３５によるくびれがフランジ１４の孔１７に位置することになり、回転させることが可能となる。
【００４２】
そこで、図７（ａ）の矢印Ｂのように、摘み部２４を時計方向に９０°ひねることにより、非円形十字柱部３１を回転させて、柱３２と柱３３の位置を入れ替える。そうすると、圧縮バネ２２の付勢によって固定用鉤部材２１には抜ける方向に力が加わるが、図７（ｂ）に示すように、柱３２の第一及び第二鉤部３２ａ及び３２ｂが装置フレーム１５の内壁に当たる側壁１５ａ及びキャリッジ４の内壁に当たるフランジ１４にそれぞれ引っ掛かり、フランジ１４は装置フレーム１５の側壁１５ａに対して上下左右前後三方向で位置決めされ、この結果、フルレートキャリッジ４を装置フレーム１５にしっかりと固定することができる。このとき、ハーフレートキャリッジ６は、図２に示すように、フルレートキャリッジ４と装置フレーム１５の側壁１５ｂとの間に位置して、位置決めされるため、フルレートキャリッジ４が固定用鉤部材２１により直接装置フレーム１５に固定されることにより、ハーフレートキャリッジ６は間接的に固定されることになる。
【００４３】
そして、図７（ｂ）に示す状態で画像読取装置１を梱包し、設置場所まで搬送した後、梱包を解いて矢印Ｃのように摘み部２４を反時計方向に９０°ひねることにより、再び非円形十字柱部３１を回転させて、柱３２と柱３３の位置を入れ替える。そうすると、図７（ｃ）に示すように、非円形十字柱部３１の柱３２が鉛直方向に配向され、圧縮バネ２２の付勢によって固定用鉤部材２１には抜ける方向に力が加わり、非円形十字柱部３１の柱３２、３３の長手方向の先端部は、矢印Ｄのように柱３２がフランジ１４の孔１７の刳貫き部１７ａに嵌るようにしてくぐり抜ける。これにより、フルレートキャリッジ４は装置フレーム１５への拘束から解かれ、ハーフレートキャリッジ６も自由に移動できるようになる。また、各キャリッジ４、６は原点位置に設定されているので、各キャリッジ４、６の相互の位置を調整することなしに直ちに使用することができる。
【００４４】
このとき、固定用鉤部材２１は、円形十字柱部２５の柱２６の突起２９が外装カバー１６の円筒部１９の端壁１９ａに当接することにより、外装カバー１６から外れることなく、図７（ｃ）に示すように、鍔部２３がちょうど外装カバー１６の円筒部１９の開口３８を塞ぐように位置する。さらに、装置フレーム１５の側壁１５ａの孔１８にも、円盤部３７が嵌り込んで、側壁１５ａを封止する。これらにより、装置フレーム１５の内部の密閉性の低下が抑制され、装置フレーム１５の孔１８から埃等の侵入を防止することができる。また、開口３８が生じないため、装置の美観を保持することも可能となる。なお、鍔部２３、円盤部３７は本発明の封止面に相当する。なお、固定用鉤部材２１は、外装カバー１６、側壁１５ａを封止した構成としたが、完全に密閉しなくともよい。封止は、固定用鉤部材２１によって外部からの埃等の侵入を阻止できる程度であればよい。
【００４５】
また、固定用鉤部材２１は、次に装置を搬送したり移動させようとする場合にも再び使用できるものであるから、廃棄物として捨てることはなく、外装カバー１６に装着したままにしておくことで、紛失のおそれや保管場所に困ることもないので、リサイクル性が向上する。
【００４６】
なお、上記本発明の実施の形態１において、キャリッジの側部に突出させて設けるフランジ１４は、案内レール等に摺動する部材を用いることができるが、その他に、フランジをキャリッジ１４に対して一体に取り付けて構成することも可能である。また、前記装置フレーム内部に固定される２つのキャリッジのフランジは、その上下関係を任意に設定可能である。
【００４７】
また、上記の実施の形態１においては、固定用鉤部材２１は、フランジ１４の孔１７を貫通するものとして説明を行ったが、フランジ１４は孔を有さず、凹部や平面として形成してもよい。この凹部に固定用鉤部材２１の先端が嵌り込む又は接触することにより、キャリッジ４の動作を固定するようにしてもよい。要するに、本発明の固定ピン、固定用鉤部材によるひっかけの動作は、キャリッジ、移動ユニット側の構成によって限定されるものではない。
【００４８】
（実施の形態２）
図示される例にしたがって、本発明の実施の形態２による画像読取装置を説明する。
【００４９】
図実施の形態１に示す画像読取装置１は、外装カバー１６に孔２０、また装置フレーム１５の側壁１５ａに孔１８をそれぞれ直接貫通孔として開口し、ここに固定用鉤部材２１を挿入して、フルレートキャリッジ４のフランジ１４の孔１７に貫通させることにより、フルレートキャリッジ４が移動しないように固定することとしている。
【００５０】
一方、本実施の形態は、装置フレーム１５の側壁１５ａに直接孔を開ける代わりに、固定用鉤部材２１が貫通する孔が設けられるとともに固定用鉤部材２１の回転を規制する、回転規制部材を備えたことを特徴とする。
【００５１】
図８は、本実施の形態２による画像読取装置の模式的構成図である。説明のため、外装カバー１６及び圧縮バネ２２等の構成は省略した状態で示した。図に示すように、装置フレーム１５の側壁１５ａには、貫通孔が開口された回転規制部材４０が設けられており、固定用鉤部材２１は、回転規制部材４０を介して、装置フレーム１５の内側に配置されたフルレートキャリッジ４に達する構成となっている。なお、図において図１〜７と同一または相当部には、同一符号を付し、詳細な説明は省略する。また、本実施の形態においては、固定用鉤部材２１は、摘み部２４に変えて、ネジ孔２４ａが開口されたネジ部２４ｂを備えた構成とした。
【００５２】
次に、図９（ａ）（ｂ）に、回転規制部材４０の構成図をそれぞれ示す。図９（ａ）は、装置フレーム１５の側壁１５ａの外側、すなわち固定用鉤部材２１が挿入される面から見た図であり、図９（ｂ）は、側壁１５ａの内側、すなわち固定用鉤部材２１の先端が露出する面から見た図である。
【００５３】
図９（ａ）に示すように、回転規制部材４０は、固定用鉤部材２１の円盤部３０の外形寸法に合わせて形成された円形の凹部４１と、凹部４１の底面に開口された、孔１８及び刳貫き部１８ａの形状に対応する開口部４２（図中網線部にて示す）とが設けられている。したがって図８に示すように、挿入された固定用鉤部材２１は、円盤部３０が凹部４１に嵌り込んだ状態で装置フレーム１５を貫通していることになる。
【００５４】
次に図９（ｂ）に示すように、回転規制部材４０は、開口部４２の周囲に設けられた係止部４３、第１の底面部４４、両端が傾斜したスロープ４７となっている中間部４５、及び第２の底面部４６が設けられている。固定用鉤部材２１の柱３２，３３の配置に対応して、上記の各部はそれぞれ一対ずつ、かつ開口部４２の中心に対してそれぞれが点対称となるように設けられている。
【００５５】
また、凹部４１の主面を基準として、係止部４３の厚み（壁部４８の高さ）ｈ１、第１の底面部４４及び第２の底面部４６の厚みｈ２、及び中間部４５の最上部の厚みｈ３との間には、ｈ１＞ｈ３＞ｈ２の関係がある。また、第１の底面部４４及び第２の底面部４６の厚みｈ２は、図１０に示す、固定用鉤部材２１の柱３２の第１鉤部３２ａの、円盤部３０ａからの距離ｌよりも大きくなるようにする。
【００５６】
なお、上記の構成において、回転規制部材４０は本発明の回転規制部材に相当し、係止部４３は本発明の係止部に相当する。
【００５７】
以上のような構成を有する本実施の形態の動作を図８，１０、１１を参照して説明する。図１０の模式図に示すように、実施の形態１と同様に、外部から固定用鉤部材２１を挿入する。このとき、図１０に示す状態から、固定用鉤部材２１を挿入方向（軸方向）に対して９０°回転させて、柱３２が開口部４２と一致した状態で、開口部４２に挿入する。凹部４１と円盤部３０とが当接して、固定用鉤部材２１はこれ以上内側に挿入されることはない。なお、図１０においては、固定用鉤部材２１は実施の形態１に示す例とは異なり、突起３６及び円盤部３７を省略した構成としている。
【００５８】
次に、開口部４２に挿入された状態で、固定用鉤部材２１は、ネジ部２４ｂからの操作によって回転することが可能となる。このとき、回転規制部材４０の内側に設けられた中間部４５の高さｈ３は、柱３２の第１鉤部３２ａの円盤部３０ａからの距離ｌよりも小さいため、固定用鉤部材２１は中間部３５上を通過することができるが、係止部４３の壁部４８の高さｈ１は、柱３２の第１鉤部３２ａの円盤部３０ａからの距離ｌよりも大きいため、柱３２と係止部４３の壁部４８とが接触する。したがって固定用鉤部材２１は係止部４３を超えて向こう側へ回転することができない。
【００５９】
図１１は、固定用鉤部材２１を、挿入時点から図中右へいっぱい回転させた状態を示す。係止部４３は、開口部４２の中心に対して点対称に設けられているため、固定用鉤部材２１は、挿入位置から９０°の角度の範囲内でその回転が規制される。
【００６０】
したがって、挿入時点では、柱３２は一対の係止部の一方３２ａと隣接するため壁部４８から左側へは回転させることは出来ず、右側のみ、一対の他方の係止部３２ｂの壁部４８ａに接触する点までしか回転させることはできない。図１１に示す状態では、柱３２と第１の底面部４４とが接触しているため、固定用鉤部材２１を外部へ抜くことはできないため、内側の図示しないフルレートキャリッジ４が固定されている状態が実現していることになる。
【００６１】
以上のように、実施の形態１においては、固定用鉤部材２１は、各孔に挿入された状態で自在に回転するのに対し、本実施の形態においては、固定用鉤部材２１は、その挿入位置から回転可能な方向にのみ回転させて、回転がこれ以上出来なくなった地点が、フルレートキャリッジ４が安定して固定された位置となるよう操作することができる。
【００６２】
これにより、ユーザや、装置の設置、点検等を行うサービスマンは目視の必要なく、固定用鉤部材を最小限回転回転させ、かつ動作時の手応えだけで、固定用鉤部材２１の挿抜位置を容易に把握することができる。
【００６３】
さらに、本実施の形態では、固定用鉤部材２１の柱３２は、固定用鉤部材２１は圧縮バネ２２の作用により、常に外向き、すなわち固定用鉤部材２１が開口部４２から抜ける方向に附勢力を受けているため、山状の中間部４５を移動する際に、両端のスロープ４７を移動する際に、固定用鉤部材２１を挿入方向前後に距離（ｈ３−ｈ２）分だけ移動させる。このとき生じるクリック音や、固定用鉤部材２１を介して伝達される手応えによって、ユーザやサービスマンは、固定用鉤部材２１の回転動作を、より明確に把握することができる。
【００６４】
なお、上記の実施の形態においては、回転規制部材４０は樹脂製とすることが望ましい。実施の形態１にて説明したように、固定用鉤部材２１は樹脂製としたが、装置フレーム１５は一般に金属製である。このとき、実施の形態１のように、側壁１５ａに孔１８等を直接開口すると、固定用鉤部材２１の回転によって孔１８の縁部と柱３２とが接触した場合、柱３２が削れて、削片がフルレートキャリッジ４、ハーフレートキャリッジ６内に侵入してランプ５，ミラーｍ１，ｍ２等に付着したり、装置フレーム１５の案内レール上に堆積して各キャリッジの正確な移動を妨げる原因となる恐れがある。このような問題は、特に孔１８の開口の精度、加工の手法、設計に応じて生ずる。
【００６５】
これに対し、回転規制部材４０を柔らかな樹脂製として開口部４２を成形することにより、固定用鉤部材２１の破損を防止し、削片の発生を未然に防ぐことができる。
【００６６】
また、上記の実施の形態においては、係止部４３、第１の底面部４４、中間部４５、第２の底面部４６はいずれも開口部４２の中心に対してそれぞれが点対称となるよう設けた構成としたが、これは柱３２が点対称に形成された固定用鉤部材２１の構成に合わせたもので、図１１に示す例では各部は一つずつ設けてもよい。この場合各部の面積は２倍となるようにし、固定用鉤部材２１の回転可能な角度は１８０°となる。また、固定用鉤部材２１の柱３２、３３の配置に対応して、３つ以上設けた構成としてもよい。この場合、固定用鉤部材の回転角は９０°より短く規制されることとなる。
【００６７】
また、上記の各実施の形態では、本発明は、各キャリッジを固定する固定機構を備えた画像読取装置であるとして説明を行ったが、本発明の情報処理装置の移動ユニットの固定機構は、プラテン３，プーリ１０，１１，ＣＣＤ８等の画像読取装置の具体的な構成によって限定されるものではなく、任意の画像読取装置において実現してもよい。
【００６８】
また、上記の各実施の形態においては、本発明は、画像読取装置において実現されるもとして説明したが、本発明の情報処理装置は、画像読取装置に限定されるものではなく、筐体、筐体内部に配置された装置フレーム、及び装置フレーム内を移動する移動ユニットを備え、その移動ユニットを装置フレーム内に一時固定する必要がある装置であれば、その用途や目的に限定されるものではない。例えば、本発明の移動ユニットは、画像読取装置の光学系を備えたキャリッジでなくとも、インクジェットプリンタのヘッドやインクカートリッジを備えたキャリッジであってもよい。電動ステープラー用のキャリッジであってもよい。さらに光ディスク装置、レーザプリンタ等の光ピックアップとして実現してもよい。
【産業上の利用可能性】
【００６９】
以上のような本発明は、装置フレーム内の密閉性の低下を抑制することが可能となる効果を有し、画像読取装置に用いた場合、ファクシミリ装置の原稿読取部や、複写機の読取部、パソコンに対するスキャナー等としてとして利用することができる。
【図面の簡単な説明】
【００７０】
【図１】本発明の実施の形態１による画像読取装置の構成を示す説明図である。
【図２】本発明の実施の形態１によるキャリッジの固定例の説明するために外装カバーの一部を破砕して示す説明図（斜視図）である。
【図３】本発明の実施の形態１によるフランジ、装置フレーム及び外装カバーの配置や各部材に設けた孔の関係を説明する説明図である。
【図４】本発明の実施の形態１による固定用鉤部材の一例の斜視図である。
【図５】本発明の実施の形態１による固定用鉤部材の平面図である。
【図６】図５の矢視ｘ−ｘ線断面図（ａ）及び矢視ｙ−ｙ線断面図（ｂ）である。
【図７】本発明の実施の形態１によるによるキャリッジの固定時（ａ）、（ｂ）及び固定解除時（ｃ）の固定用鉤部材の動作を説明するためにフランジ、装置フレーム及び外装カバーの一部を破砕して示す説明図である。
【図８】本実施の形態２による画像読取装置の模式的構成図
【図９】（ａ）本実施の形態２による画像読取装置の回転規制部材の構成図（ｂ）本実施の形態２による画像読取装置の回転規制部材の構成図
【図１０】本実施の形態２による画像読取装置の回転規制部材と固定用鉤部材との関係を説明するための図
【図１１】本実施の形態２による画像読取装置の回転規制部材と固定用鉤部材との関係を説明するための図
【図１２】従来のキャリッジの固定例の説明図（断面図）である。
【符号の説明】
【００７１】
１  画像読取装置            
３  プラテン                
４  フルレートキャリッジ     
６  ハーフレートキャリッジ     
１４  フランジ              
１５  装置フレーム          
１５ａ  装置フレームの側壁     
１６  外装カバー            
１７  フランジの孔          
１８  装置フレームの孔      
２０  外装カバーの孔        
２１  固定用鉤部材          
２２  圧縮バネ              
３２ａ  第一鉤部            
３２ｂ  第二鉤部            
３８  開口
【図１】
2006270938.tif 000003
【図２】
2006270938.tif 000004
【図３】
2006270938.tif 000005
【図４】
2006270938.tif 000006
【図５】
2006270938.tif 000007
【図６】
2006270938.tif 000008
【図７】
2006270938.tif 000009
【図８】
2006270938.tif 000010
【図９】
2006270938.tif 000011
【図１０】
2006270938.tif 000012
【図１１】
2006270938.tif 000013
【図１２】
2006270938.tif 000014